(57)【要約】      （修正有）【課題】１つの画像を分割した複数の部分画像を複数の表示装置で表示させて１つの画像を表示するマルチ表示を行う際に有利な技術を提供する。【解決手段】少なくとも１つの表示装置１００Ａは、複数の表示装置１００Ｂ，１００Ｃ，１００Ｄのそれぞれから、通信手段１４０を介して表示手段において表示画素数を変換することなく表示可能な画像の最大の表示画素数を表す第１の表示画素数情報を取得し、当該第１の表示画素数情報からマルチ表示を行う際に表示可能な画像の最大の表示画素数を表す第２の表示画素数情報を算出する算出手段と、算出手段で算出された第２の表示画素数情報を記憶する記憶手段と、記憶手段に記憶された第２の表示画素数情報を外部装置２００に送信するように通信手段１４０を制御する制御手段と、を有する。【選択図】図１
2012083572.tif 000002
【特許請求の範囲】
【請求項１】
画像を表示する表示手段と通信手段とをそれぞれ有する複数の表示装置を備え、外部装置から入力される１つの画像を分割した複数の部分画像を前記複数の表示装置で表示させて前記１つの画像を表示するマルチ表示を行う表示システムであって、
前記複数の表示装置のうち少なくとも１つの表示装置は、
前記複数の表示装置のそれぞれから、前記通信手段を介して前記表示手段において表示画素数を変換することなく表示可能な画像の最大の表示画素数を表す第１の表示画素数情報を取得し、当該第１の表示画素数情報から前記マルチ表示を行う際に表示可能な画像の最大の表示画素数を表す第２の表示画素数情報を算出する算出手段と、
前記算出手段で算出された前記第２の表示画素数情報を記憶する記憶手段と、
前記記憶手段に記憶された前記第２の表示画素数情報を前記外部装置に送信するように前記通信手段を制御する制御手段と、
を有することを特徴とする表示システム。
【請求項２】
前記複数の表示装置のそれぞれは、前記複数の表示装置において表示装置を管理するマスタとして機能するか前記マスタに管理されるスレーブとして機能するかを表す属性情報を格納する格納手段を更に有し、
前記少なくとも１つの表示装置の前記格納手段に格納された属性情報は、前記マスタとして機能することを表していることを特徴とする請求項１に記載の表示システム。
【請求項３】
前記複数の表示装置のそれぞれは、前記複数の表示装置において表示装置を管理するマスタとして機能させるか前記マスタに管理されるスレーブとして機能させるかを決定する決定手段を更に有し、
前記決定手段は、前記通信手段の接続先が前記外部装置を含む場合には、前記マスタとして機能させ、前記通信手段の接続先が前記外部装置を含まない場合には、前記スレーブとして機能させることを特徴とする請求項１又は２に記載の表示システム。
【請求項４】
前記少なくとも１つの表示装置は、前記外部装置から入力される１つの画像を前記複数の部分画像に分割する分割手段を更に有し、
前記記憶手段は、前記分割手段で分割された前記複数の部分画像のうち前記マルチ表示において前記複数の表示装置のそれぞれの前記表示手段が表示すべき部分画像と前記複数の表示装置との対応関係を示す表示情報を更に記憶し、
前記制御手段は、前記記憶手段に記憶された前記表示情報を参照し、前記分割手段で分割された前記複数の部分画像のそれぞれを、前記複数の表示装置の対応する表示装置に送信するように前記通信手段を制御することを特徴とする請求項１乃至３のうちいずれか１項に記載の表示システム。
【請求項５】
前記分割手段は、前記第１の表示画素数情報を参照し、前記複数の部分画像のそれぞれが前記複数の表示装置のそれぞれの前記表示手段において表示画素数を変換することなく表示可能な画像の最大の表示画素数となるように前記外部装置から入力される１つの画像を分割することを特徴とする請求項４に記載の表示システム。
【請求項６】
前記複数の表示装置のそれぞれは、
前記複数の部分画像のうち前記マルチ表示において前記複数の表示装置のそれぞれの前記表示手段が表示すべき部分画像と前記複数の表示装置との対応関係を示す表示情報を記憶する表示情報記憶手段と、
前記表示情報記憶手段に記憶された前記表示情報を参照し、前記外部装置から入力される１つの画像から前記表示すべき部分画像を抽出する抽出手段と、
を有することを特徴とする請求項１に記載の表示システム。
【請求項７】
前記外部装置は、前記少なくとも１つの表示装置から前記通信手段を介して送信される前記第２の表示画素数情報が表す最大の表示画素数の画像を、前記少なくとも１つの表示装置に入力することを特徴とする請求項１乃至５のうちいずれか１項に記載の表示システム。
【請求項８】
前記外部装置は、前記少なくとも１つの表示装置から前記通信手段を介して送信される前記第２の表示画素数情報が表す最大の表示画素数の画像を、前記複数の表示装置のそれぞれに入力することを特徴とする請求項６に記載の表示システム。
【請求項９】
前記表示手段は、
前記複数の部分画像のうち１つの部分画像を形成するための液晶パネルと、
前記液晶パネルに形成された前記部分画像をスクリーンに投影する投影光学系と、
を含み、
前記複数の表示装置のそれぞれの投影光学系が前記部分画像を前記スクリーンに投影することによって、前記１つの画像が前記スクリーンに表示されることを特徴とする請求項１乃至８のうちいずれか１項に記載の表示システム。
【請求項１０】
画像を表示する表示手段と通信手段とをそれぞれ有する複数の表示装置と、画像を入力する外部装置とを備え、前記外部装置から入力される１つの画像を分割した複数の部分画像を前記複数の表示装置で表示させて前記１つの画像を表示するマルチ表示を行う表示システムであって、
前記複数の表示装置のうち少なくとも１つの表示装置は、
前記複数の表示装置のそれぞれから、前記通信手段を介して前記表示手段において表示画素数を変換することなく表示可能な画像の最大の表示画素数を表す第１の表示画素数情報を取得し、当該第１の表示画素数情報から前記マルチ表示を行う際に表示可能な画像の最大の表示画素数を表す第２の表示画素数情報を算出する算出手段と、
前記算出手段で算出された前記第２の表示画素数情報を記憶する記憶手段と、
前記記憶手段に記憶された前記第２の表示画素数情報を前記外部装置に送信するように前記通信手段を制御する制御手段と、
を有し、
前記外部装置は、
前記少なくとも１つの表示装置から前記通信手段を介して送信される前記第２の表示画素数情報を受信する受信手段と、
前記受信手段で受信された前記第２の表示画素数情報が表す最大の表示画素数の画像を、前記少なくとも１つの表示装置に入力する入力手段と、
を有することを特徴とする表示システム。
【請求項１１】
画像を表示する表示手段と通信手段とをそれぞれ有する複数の表示装置を備え、外部装置から入力される１つの画像を分割した複数の部分画像を前記複数の表示装置で表示させて前記１つの画像を表示するマルチ表示を行う表示システムの制御方法であって、
前記複数の表示装置のうち少なくとも１つの表示装置が、前記複数の表示装置のそれぞれから、前記通信手段を介して前記表示手段において表示画素数を変換することなく表示可能な画像の最大の表示画素数を表す第１の表示画素数情報を取得し、当該第１の表示画素数情報から前記マルチ表示を行う際に表示可能な画像の最大の表示画素数を表す第２の表示画素数情報を算出する算出ステップと、
前記複数の表示装置のうち少なくとも１つの表示装置が、前記算出ステップで算出された前記第２の表示画素数情報を記憶する記憶ステップと、
前記複数の表示装置のうち少なくとも１つの表示装置が、前記記憶ステップで記憶された前記第２の表示画素数情報を前記外部装置に送信するように前記通信手段を制御する制御ステップと、
を有することを特徴とする制御方法。
【発明の詳細な説明】
【技術分野】
【０００１】
本発明は、表示システム及び制御方法に関する。
【背景技術】
【０００２】
近年、表示装置の１つとして、画像出力装置から入力される画像（画像信号に対応する画像）を液晶パネルに形成してスクリーンに投影（表示）する投影装置（所謂、プロジェクタ）が普及してきている。このような投影装置では、高表示画素数の画像を大画面のスクリーンに投影するための技術として、１つの画像を複数の部分画像に分割し、かかる複数の部分画像を複数の投影装置を用いてスクリーンに投影するマルチ表示システムが知られている（特許文献１参照）。
【先行技術文献】
【特許文献】
【０００３】
【特許文献１】特開２００１−２６８４７６号公報
【発明の概要】
【発明が解決しようとする課題】
【０００４】
しかしながら、従来のマルチ表示システムでは、それぞれの投影装置に別々に画像を送信するために、ユーザは、投影装置の投影位置や構成などを確認して適した部分画像を別々に送信しなければならなかった。
【０００５】
本発明は、このような従来技術の課題に鑑みてなされ、マルチ表示システムを行う際にユーザの操作が煩雑になりにくい技術を提供することを例示的目的とする。
【課題を解決するための手段】
【０００６】
上記目的を達成するために、本発明の一側面としての表示システムは、画像を表示する表示手段と通信手段とをそれぞれ有する複数の表示装置を備え、外部装置から入力される１つの画像を分割した複数の部分画像を前記複数の表示装置で表示させて前記１つの画像を表示するマルチ表示を行う表示システムであって、前記複数の表示装置のうち少なくとも１つの表示装置は、前記複数の表示装置のそれぞれから、前記通信手段を介して前記表示手段において表示画素数を変換することなく表示可能な画像の最大の表示画素数を表す第１の表示画素数情報を取得し、当該第１の表示画素数情報から前記マルチ表示を行う際に表示可能な画像の最大の表示画素数を表す第２の表示画素数情報を算出する算出手段と、前記算出手段で算出された前記第２の表示画素数情報を記憶する記憶手段と、前記記憶手段に記憶された前記第２の表示画素数情報を前記外部装置に送信するように前記通信手段を制御する制御手段と、を有することを特徴とする。
【０００７】
本発明の更なる目的又はその他の側面は、以下、添付図面を参照して説明される好ましい実施形態によって明らかにされるであろう。
【発明の効果】
【０００８】
本発明によれば、例えば、１つの画像を分割した複数の部分画像を複数の表示装置で表示させて１つの画像を表示するマルチ表示を行う際に有利な技術を提供することができる。
【図面の簡単な説明】
【０００９】
【図１】本発明の一側面としての表示システムの構成を示す概略図である。
【図２】図１に示す表示システムにおける表示装置の構成を示す概略図である。
【図３】図１に示す表示システムにおける第１の実施形態の表示装置の動作を説明するためのフローチャートである。
【図４】図１に示す表示システムにおいて、マスタとして機能する表示装置及びスレーブとして機能する表示装置のそれぞれの構成を示す概略図である。
【図５】図１に示す表示システムにおける第２の実施形態の表示装置の動作を説明するためのフローチャートである。
【図６】本発明の一側面としての表示システムの別の構成を示す概略図である。
【図７】図６に示す表示システムにおける表示装置の構成を示す概略図である。
【図８】図６に示す表示システムにおける第３の実施形態の表示装置の動作を説明するためのフローチャートである。
【図９】図１に示す表示システムにおける表示装置の構成を示す概略図である。
【図１０】図１に示す表示システムにおける第４の実施形態の表示装置の動作を説明するためのフローチャートである。
【図１１】本発明の一側面としての表示システムの別の構成を示す概略図である。
【図１２】図１１に示す表示システムにおける表示装置の構成を示す概略図である。
【図１３】図１１に示す表示システムにおける第５の実施形態の表示装置の動作を説明するためのフローチャートである。
【発明を実施するための形態】
【００１０】
以下、添付図面を参照して、本発明の好適な実施の形態について説明するが、本発明は以下の実施の形態に限定されない。また、本発明の実施の形態は発明の好ましい形態を示すものであり、発明の範囲を限定するものではない。なお、各図において、同一の部材については同一の参照番号を付し、重複する説明は省略する。
＜第１の実施形態＞
図１は、本発明の一側面としての表示システム１の構成を示す概略図である。表示システム１は、複数の表示装置、本実施形態では、４つの表示装置１００Ａ、１００Ｂ、１００Ｃ及び１００Ｄを備える。表示システム１は、外部装置２００から入力される１つの画像を分割した複数の部分画像を表示装置１００Ａ、１００Ｂ、１００Ｃ及び１００Ｄのそれぞれで表示させて１つの画像を表示するマルチ表示を行う。本実施形態では、表示装置１００Ａ、１００Ｂ、１００Ｃ及び１００Ｄは、外部装置２００から入力される画像を液晶パネルで生成してスクリーンに投影（表示）する投影装置、所謂、プロジェクタとして具現化される。また、本実施形態では、図１に示すように、表示システム１を構成する４つの表示装置１００Ａ、１００Ｂ、１００Ｃ及び１００Ｄ（即ち、表示装置の数）に応じて、スクリーンが４つの領域ＡＡ、ＡＢ、ＡＣ及びＡＤに分割される。そして、表示装置１００Ａ、１００Ｂ、１００Ｃ及び１００Ｄのそれぞれが、４つの領域ＡＡ、ＡＢ、ＡＣ及びＡＤのそれぞれに部分画像を表示することによって、１つの画像がスクリーンに表示される。なお、以下では、表示装置１００Ａ、１００Ｂ、１００Ｃ及び１００Ｄを総括して表示装置１００とする。また、外部装置２００は、表示装置１００に画像や音声データなどを入力することが可能な装置であって、例えば、パーソナルコンピュータなどを含む画像処理装置や撮像装置で構成される。
【００１１】
図２は、表示装置１００の構成を示す概略図である。表示装置１００は、制御部１０１と、操作部１０２と、電源部１０３と、液晶パネル部１０４と、液晶駆動部１０５と、光源１０６と、投影光学系１０７と、光源制御部１０８と、光学系制御部１０９とを有する。また、表示装置１００は、アナログ入力部１１０と、Ａ／Ｄ変換部１１１と、デジタル入力部１１２と、ＵＳＢインタフェース（Ｉ／Ｆ）１１３と、送受信部１１４とを含む通信部１４０を有する。また、表示装置１００は、カードインタフェース（Ｉ／Ｆ）１１５と、内部メモリ１１６と、ファイル再生部１１７と、画像処理部１１８と、傾きセンサ１１９と、タイマ１２０と、温度計１２１と、赤外線受信部１２２とを有する。また、表示装置１００は、焦点検出部１２３と、撮像部１２４と、スクリーン測光部１２５と、光源測光部１２６と、表示部１２７と、表示制御部１２８と、バッテリ１２９と、電源入力部１３０と、冷却部１３１とを有する。また、表示装置１００は、属性管理部１４１と、環境管理部１４２と、記憶部１４３と、画像分割部１４４とを有する。
【００１２】
制御部１０１は、ＣＰＵやメモリなどを含み、表示装置１００の全体の動作（即ち、表示装置１００の各部）を制御する。操作部１０２は、ユーザからの操作（指示や設定）を受け付ける各種のボタンやダイヤルなどを含む。電源部１０３は、表示装置１００の各部へ電源を供給する。液晶パネル部１０４は、１枚の液晶パネルや３枚の液晶パネルなどで構成され、かかる液晶パネルに画像を形成する。但し、液晶パネル部１０４は、ＤＭＤパネルで構成され、かかるＤＭＤパネルに画像を形成するＤＭＤパネル部などに置換することも可能である。液晶駆動部１０５は、画像処理部１１８から入力された画像信号に対応する画像が液晶パネル部１０４に形成されるように、液晶パネルを駆動する。光源１０６は、液晶パネル部１０４に光を照射する。投影光学系１０７は、光源１０６からの光を液晶パネル部１０４に照射することで得られる光学像（即ち、液晶パネルに形成された画像）をスクリーンに投影する。光源制御部１０８は、光源１０６から照射される光の光量などを制御する。光学系制御部１０９は、投影光学系１０７に含まれるズームレンズやフォーカスの位置を制御し、投影光学系１０７のズーム倍率や焦点位置を調整する。
【００１３】
通信部１４０は、表示システム１における他の表示装置や外部装置２００と通信を行うためのインタフェースである。通信部１４０は、画像（画像信号）や画像以外の情報（データ）などを送信及び受信する各種のインタフェースで構成され、本実施形態では、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）で構成されている。但し、通信部１４０は、ＤＶＩ（Ｄｉｇｉｔａｌ  Ｖｉｓｕａｌ  Ｉｎｔｅｒｆａｃｅ）、ＤｉｓｐｌａｙＰｏｒｔ、ＬＡＮ、ＵＳＢなどのデジタルインタフェースで構成されていてもよい。
【００１４】
アナログ入力部１１０は、例えば、ＲＧＢ端子やＳ端子を含む。アナログ入力部には、パーソナルコンピュータ（ＰＣ）、ＤＶＤプレイヤー、テレビチューナーなどからのアナログ画像信号が入力される。Ａ／Ｄ変換部１１１は、アナログ入力部１１０に入力されたアナログ画像信号をデジタル画像信号に変換する。デジタル入力部１１２は、例えば、ＨＤＭＩ端子を含む。デジタル入力部１１２には、ＰＣやＤＶＤプレイヤーなどからのデジタル画像信号や制御信号などが入力される。ＵＳＢインタフェース１１３は、外部装置から画像データや画像ファイルなどを受信する機能や画像データや画像ファイルなどを送信する機能を有する。また、ＵＳＢインタフェース１１３には、ポインティングデバイス、キーボード、ＵＳＢ型のメモリを接続することが可能である。送受信部１１４は、例えば、有線ＬＡＮや無線ＬＡＮなどで構成され、画像データ、画像ファイル、制御信号（命令信号）などを送信及び受信する機能を有する。
【００１５】
カードインタフェース１１５は、カード型の記録媒体に対して画像データや画像ファイルなどを読み書きするためのインタフェースである。内部メモリ１１６は、半導体メモリやハードディスクなどで構成され、画像データや画像ファイルなどを格納する。
【００１６】
例えば、カードインタフェース１１５に入力された画像ファイルは、ファイル再生部１１７で再生される。ファイル再生部１１７は、画像ファイルから、ユーザに表示するための画像に対応する画像信号を生成して画像処理部１１８に出力する。また、デジタル入力部１１２に入力された画像信号や制御信号は、画像処理部１１８に直接出力される。
【００１７】
画像処理部１１８は、液晶パネル部１０４での表示に適した画像にするために、入力される画像信号に対して様々な画像処理を施す。例えば、画像処理部１１８は、画像信号の画素数を液晶パネルの画素数にあわせて変換したり、液晶パネルの交流駆動に対応させて画像信号のフレーム数を倍にしたりする。なお、液晶パネルの交流駆動とは、液晶パネルにかける電圧の方向が正方向であっても逆方向であっても液晶パネルは画像を形成することが可能であるという性質を利用して、液晶パネルにかける電圧の方向を交互に入れ替えながら液晶パネルを駆動するものである。従って、液晶駆動部１０５には、正方向用の画像信号と逆方向用の画像信号とを入力する必要があり、画像処理部１１８では、画像信号のフレーム数を倍にする処理が必要となる。
【００１８】
また、画像処理部１１８は、スクリーンに対して斜め方向から画像を投影する際に、例えば、画像が台形状に歪んでしまう場合に、かかる台形状の歪みを打ち消すように画像の形状を変形させるキーストン補正処理を行う。具体的には、画像処理部１１８は、キーストン補正処理として、液晶パネルに形成される画像の水平方向及び垂直方向の少なくとも一方の拡大率又は縮小率を変更する。これにより、スクリーンに投影される画像の台形状の歪みが液晶パネルに形成される画像の歪みで相殺され、正常なアスペクト比の長方形の画像がスクリーンに投影（表示）されることになる。なお、キーストン補正処理は、傾きセンサ１１９で検出される表示装置１００の傾き（傾き角）に基づいて自動的に行ってもよいし、操作部１０２におけるユーザの操作に基づいて行ってもよい。
【００１９】
傾きセンサ１１９は、表示装置１００の傾きを検出する。タイマ１２０は、表示装置１００の動作時間や表示装置１００の各部の動作時間などを検出する。温度計１２１は、光源１０６の温度、液晶パネル部１０４の温度、外気温などを計測する。
【００２０】
赤外線受信部１２２は、例えば、表示装置１００（の筐体）の複数の箇所に配置され、表示装置１００に付属しているリモコンやその他の機器から赤外線を受信し、かかる赤外線に対応する信号を制御部１０１に入力する。焦点検出部１２３は、表示装置１００とスクリーンとの間の距離（即ち、焦点距離）を検出する。撮像部１２４は、スクリーンの方向を撮像する。スクリーン測光部１２５は、スクリーンで反射される光の光量や輝度を計測する。光源測光部１２６は、光源１０６からの光の光量や輝度を計測する。
【００２１】
表示部１２７は、表示装置１００（の筐体）に配置され、表示装置１００の状態や警告などを表示する。表示制御部１２８は、表示部１２７での表示を制御する。バッテリ１２９は、外部電源が使用できない環境において、表示装置１００に電源を供給する。電源入力部１３０は、外部電源から入力される交流電力を所定の電圧に整流して電源部１０３に供給する。冷却部１３１は、例えば、ヒートシンクやファンなどを含み、表示装置１００の内部の熱を外部に放出し、表示装置１００の各部を冷却する。
【００２２】
属性管理部１４１は、表示システム１において、自身が他の表示装置を管理するマスタとして機能するか、或いは、マスタに管理されるスレーブとして機能するかを表す属性情報を管理（格納）する。本実施形態では、通信部１４０がＨＤＭＩで構成されているため、通信部１４０の接続先が他の表示装置であるのか、或いは、外部装置２００であるのかを判別することが可能である。そこで、制御部１０１は、通信部１４０の接続先に応じて、自身をマスタとして機能させるか、或いは、自身をスレーブとして機能させるかを自動的に決定する。具体的には、通信部１４０の接続先が外部装置２００を含む場合には、制御部１０１は、自身をマスタとして機能させることを決定し、マスタとして機能することを表す属性情報を属性管理部１４１に格納する。一方、通信部１４０の接続先が外部装置２００を含まない、即ち、他の表示装置である場合には、制御部１０１は、自身をスレーブとして機能させることを決定し、スレーブとして機能することを表す属性情報を属性管理部１４１に格納する。本実施形態では、図１に示すように、表示装置１００Ａの通信部１４０の接続先に外部装置２００が含まれ、表示装置１００Ｂ、１００Ｃ及び１００Ｄの通信部１４０の接続先に外部装置２００が含まれていない。従って、本実施形態では、表示装置１００Ａがマスタとして機能し、表示装置１００Ｂ、１００Ｃ及び１００Ｄがスレーブとして機能することとなる。但し、各表示装置をマスタとして機能させるかスレーブとして機能させるかを自動的に決定するのではなく、操作部１０２を介して、ユーザが各表示装置をマスタとして機能させるかスレーブとして機能させるかを設定してもよい。
【００２３】
環境管理部１４２は、表示システム１の環境（即ち、通信部１４０を介して接続された各表示装置がどのような構成になっているのか）を管理する。環境管理部１４２は、例えば、マルチ表示を行う際に表示可能な画像の最大の表示画素数を算出する。具体的には、環境管理部１４２は、表示システム１を構成する複数の表示装置のそれぞれから、液晶パネル部１０４において表示画素数を変換することなく形成可能（表示可能）な画像の最大の表示画素数を表す第１の表示画素数情報を取得する。そして、環境管理部１４２は、第１の表示画素数情報からマルチ表示を行う際に表示可能な画像の最大の表示画素数を表す第２の表示画素数情報を算出する。また、環境管理部１４２は、マルチ表示を行う際の各表示装置のスクリーン上の表示担当領域を決定し、複数の表示装置のそれぞれが表示すべき部分画像と複数の表示装置との対応関係を示す表示情報を生成する。
【００２４】
環境管理部１４２で算出された第２の表示画素数情報は、記憶部１４３に記憶される。また、環境管理部１４２で生成された表示情報も、記憶部１４３に記憶される（即ち、記憶部１４３が表示情報記憶部として機能する）。なお、記憶部１４３には、表示装置を単体で使用する場合に表示可能な画像の最大の表示画素数、即ち、第１の表示画素数情報も記憶されている。但し、記憶部１４３が第２の表示画素数情報を記憶することで、外部装置２００に対して、表示システム１における表示装置１００の表示可能な画像の最大の表示画素数として第２の表示画素数情報が送信されることになる。
【００２５】
本実施形態において、環境管理部１４２や記憶部１４３で管理される情報は、表示システム１を構成する複数の表示装置がそれぞれどのような表示能力を有しているかということになる。その内容としては、ＨＤＭＩで採用されているＥｘｔｅｎｄｅｄ  Ｄｉｓｐｌａｙ  Ｉｄｅｎｔｉｆｉｃａｔｉｏｎ  Ｄａｔａ（ＥＤＩＤ）の内容も含まれる。ＥＤＩＤの内容に関しては、Ｃｏｎｓｕｍｅｒ  Ｅｌｅｃｔｒｏｎｉｃｓ  Ａｓｓｏｃｉａｔｉｏｎ（ＣＥＡ）で規格化され、ＣＥＡ−８６１などで規定されている。ＥＤＩＤでは、表示画素数を変換することなく表示装置で表示可能な画像の表示画素数を示すネイティブフォーマットが指定されるため、表示システム１の環境の管理においては、各表示装置のＥＤＩＤを使用することになる。但し、ネイティブフォーマットだけの対応ではなく、各表示装置の表示可能な画像の最大の表示画素数だけで構成したり、ネイティブフォーマットに近い最適値を設定したりすることも可能である。また、ユーザが各表示装置で表示させる画像の表示画素数を（表示画素数を変換するかどうかも含めて）指定することも可能である。
【００２６】
更に、本実施形態では、ＨＤＭＩを例として説明しているが、ＰｉｃｔＢｒｉｄｇｅを用いることも可能である。この場合、表示装置の表示能力に関する情報はＣａｐａｂｉｌｉｔｙ情報などになる。但し、既存のプロトコルで規定された種類の情報でなくても、外部装置２００と表示装置１００との間で共有可能なデータの種類であれば自由に選択することが可能である。
【００２７】
また、環境管理部１４２は、操作部１０２を介して入力（指定）された各表示装置の表示担当領域に関する情報及びネイティブフォーマットの対応情報によって１つの画面を構成することが可能な最大矩形領域の表示画素数を算出することもできる。この場合、環境管理部１４２は、最大矩形領域を構成する際の各表示装置の担当表示領域や各対応表示画素数における表示装置の担当表示領域も算出し、それらも記憶部１４３に記憶させる。
【００２８】
記憶部１４３は、上述したように、第１の表示画素数情報、第２の表示画素数情報、表示情報などを記憶する。詳細には、記憶部１４３は、第１の表示画素数情報、第２の表示画素数情報、対応可能表示画素数、対応音声データサンプリングレート、色域情報、γ値、画面サイズ、モデル名、シリーズ名などを公開可能な情報として記憶する。換言すれば、これらの情報は、通信部１４０を介して接続される他の表示装置や外部装置２００に公開可能となっている。本実施形態では、通信部１４０がＨＤＭＩで構成されているため、ＥＤＩＤが公開可能な情報に相当する。ＥＤＩＤの内容は、ＨＤＭＩに内蔵されているＤｉｓｐｌａｙ  Ｄａｔａ  Ｃｈａｎｎｅｌ（ＤＤＣ）と呼ばれる１２Ｃ準拠のインタフェースを介して外部装置２００に送信（入力）される。また、記憶部１４３は、最大矩形領域を構成する際の各表示装置の担当表示領域や各対応表示画素数における表示装置の担当表示領域などを含む表示情報を非公開の情報として記憶する。
【００２９】
画像分割部１４４は、外部装置２００から入力される１つの画像を複数の部分画像に分割する。具体的には、画像分割部１４４は、環境管理部１４２で生成された表示情報に基づいて、外部装置２００から入力される各表示装置が表示すべき部分画像（即ち、各表示装置で表示可能な画像の表示画素数に対応した部分画像）に分割する。
【００３０】
ここで、表示装置１００の通常の動作（画像の表示動作）について説明する。なお、本実施形態では、デジタル入力部１１２に入力される画像信号に対応する画像を表示する場合の動作について説明するが、デジタル入力部１１２以外のインタフェースに入力される画像信号に対応する画像を表示する場合の動作も同様である。
【００３１】
操作部１０２が電源ＯＮの指示をユーザから受け付けると、制御部１０１は、電源部１０３を制御して表示装置１００の各部に電源を供給し、表示装置１００の各部を待機状態にする。そして、制御部１０１は、光源制御部１０８と協同し、光源１０６からの光の照射を開始する。また、制御部１０１は、光学系制御部１０９と協同し、焦点検出部１２３の検出結果に基づいて、投影光がスクリーンに結像するように投影光学系１０７（のズームレンズやフォーカスレンズ）を調整する。
【００３２】
制御部１０１の制御下において、デジタル入力部１１２に入力された画像信号は、画像処理部１１８によって、液晶パネル部１０４での表示に適した表示画素数に変換されると共に、ガンマ補正処理、輝度ムラ補正処理、キーストン補正処理などが施される。そして、種々の画像処理が施された画像信号は、液晶駆動部１０５に入力され、液晶パネル部１０４において画像として形成される。液晶パネル部１０４に形成された画像は、光源１０６からの光によって投影光学系１０７に導かれ、投影光学系１０７を介してスクリーンに投影（表示）される。なお、制御部１０１は、画像の投影中、光源１０６の温度などを温度計１２１で計測し、光源１０６の温度が４０度以上になった場合には、冷却部１３１を動作させて光源１０６を冷却する。
【００３３】
操作部１０２が電源ＯＦＦの指示をユーザから受け付けると、制御部１０１は、表示装置１００の各部に終了処理を行うように指示し、電源部１０３を制御して表示装置１００の各部への電源の供給を順次終了する。但し、制御部１０１は、制御部１０１は、表示装置１００の各部に終了処理を行うように指示した後も冷却部１３１をしばらく動作させて表示装置１００の各部を冷却する。
【００３４】
なお、表示装置１００に画像を入力する際に、外部装置２００では、表示装置１００の記憶部１４３に記憶された情報を取得して、かかる情報を解析することで表示装置１００に入力する画像のフォーマット（例えば、表示画素数）を決定している。換言すれば、外部装置２００は、表示装置１００のＥＤＩＤで規定された最大の表示画素数を基準として、画像の劣化が少なくなるように（即ち、表示画素数の変換が少なくなるように）、表示装置１００に入力する画像の表示画素数を決定している。勿論、ユーザが表示装置１００に入力する画像の表示画素数を決定（指定）することも可能である。但し、いずれの場合であっても、表示装置１００に入力する画像の表示画素数は、ＥＤＩＤの内容の範囲内（表示装置１００で表示可能な表示画素数の範囲）で決定されることになる。従って、ＥＤＩＤの内容が表示装置１００を単体で使用する際の内容のままであると、マルチ表示を行う際の画像に制限がかかってしまう。例えば、表示システム１によるマルチ表示ではＱＸＧＡまで表示可能である場合であっても、表示装置１００がＸＧＡまでしか表示可能でなければ、表示システム１を構成する表示装置１００には、外部装置２００からＸＧＡの画像が入力されることになる。このように、外部装置２００から入力可能な画像の表示画素数が表示システム１を構成する表示装置１００を単体で使用する際に表示可能な画像の表示画素数よりも高い場合がある。本実施形態では、外部装置２００からの画像は、マスタとして機能する表示装置１００Ａに入力される。従って、従来技術では、表示システム１において表示可能な画像が表示装置１００Ａで表示可能な画像に限定され、表示装置１００Ａで表示可能な画像の表示画素数への変換が外部装置２００で行われていた。
【００３５】
そこで、本実施形態では、第１の表示画素数情報だけではなく、環境管理部１４２で算出された第２の表示画素数情報を記憶部１４３に記憶すると共に、かかる第２の表示画素数情報を外部装置２００に送信する。これにより、表示システム１において表示可能な画像が表示装置１００Ａで表示可能な画像に限定されることなく、マルチ表示を行う際に表示可能な最大の表示画素数の画像が外部装置２００から入力され、その画像を表示することが可能となる。
【００３６】
図３を参照して、図１に示す表示システム１における本実施形態の表示装置１００の動作（画像の表示動作）について説明する。かかる動作は、制御部１０１が表示装置１００の各部を統括的に制御することによって実行される。
【００３７】
Ｓ３０２において、制御部１０１は、通信部１４０を介して他の表示装置や外部装置２００と通信し、表示システム１の構築を行う。本実実施形態では、図１に示したように、表示システム１は、４つの表示装置１００Ａ、１００Ｂ、１００Ｃ及び１００Ｄで構成される。この際、制御部１０１は、表示装置１００Ａ、１００Ｂ、１００Ｃ及び１００Ｄのそれぞれの属性管理部１４１に、自身がマスタとして機能するか、或いは、スレーブとして機能するかを表す属性情報を格納する。
【００３８】
Ｓ３０４において、制御部１０１は、属性管理部１４１に管理された属性情報を参照し、Ｓ３０２で構築された表示システム１において、自身がマスタとして機能するかどうかを判定する。自身がマスタとして機能する場合には、Ｓ３０６に移行する。一方、自身がマスタとして機能しない場合（即ち、スレーブとして機能する場合）には、Ｓ３２６に移行する。従って、Ｓ３０６乃至Ｓ３２４は、マスタとして機能する表示装置１００Ａのみで行われることになる。
【００３９】
Ｓ３０６において、表示装置１００Ａの環境管理部１４２は、表示システム１を構成する表示装置１００から、液晶パネル部１０４において表示画素数を変換することなく形成可能（表示可能）な画像の最大の表示画素数を表す第１の表示画素数情報を取得する。
【００４０】
Ｓ３０８において、表示装置１００Ａの制御部１０１は、操作部１０２がマルチ表示の指示をユーザから受け付けているかどうかを判定する。マルチ表示の指示をユーザから受け付けている場合には、Ｓ３１０に移行する。一方、マルチ表示の指示をユーザから受け付けていない場合には、Ｓ３０２に移行し、表示システム１の構築を行う状態で待機する。
【００４１】
Ｓ３１０において、表示装置１００Ａの環境管理部１４２は、マルチ表示を行う際の各表示装置のスクリーン上の表示担当領域を決定し、複数の表示装置のそれぞれが表示すべき部分画像と複数の表示装置との対応関係を示す表示情報を生成する。例えば、環境管理部１４２は、各表示装置の表示担当領域を設定するための設定画面をユーザに提供し、かかる設定画面を用いてユーザによって設定される内容に応じて各表示装置のスクリーン上の表示担当領域を決定する。
【００４２】
Ｓ３１２において、表示装置１００Ａの環境管理部１４２は、Ｓ３０６で取得した第１の表示画素数情報に基づいて、表示システム１においてマルチ表示を行う際に表示可能な画像の最大の表示画素数を表す第２の表示画素数情報を算出する。
【００４３】
Ｓ３１４において、表示装置１００Ａの制御部１０１は、Ｓ３１２で算出された第２の表示画素数情報、及び、Ｓ３１０で生成された表示情報を記憶部１４３に記憶させる。
【００４４】
Ｓ３１６において、表示装置１００Ａの制御部１０１は、外部装置２００を接続先として含む通信部１４０のリセットを行う。これにより、外部装置２００から表示装置１００Ａに対して、記憶部１４３に記憶された第２の表示画素数情報（表示システム１においてマルチ表示を行う際に表示可能な画像の最大の表示画素数）の送信が要求されることになる。
【００４５】
Ｓ３１８において、表示装置１００Ａの制御部１０１は、外部装置２００からの要求に応じて、通信部１４０を介して、記憶部１４３に記憶された第２の表示画素数情報を外部装置２００に送信する。これにより、外部装置２００は、表示システム１においてマルチ表示を行う際に表示可能な画像の最大の表示画素数を把握して、これに対応した最適な表示画素数の画像（例えば、最大の表示画素数の画像）を表示装置１００Ａに送信（入力）する。
【００４６】
Ｓ３２０において、表示装置１００Ａの制御部１０１は、通信部１４０を介して、第２の表示画素数情報が表す表示画素数に対応した最適な表示画素数の画像を外部装置２００から受信する。
【００４７】
Ｓ３２２において、表示装置１００Ａの画像分割部１４４は、記憶部１４３に記憶された表示情報に基づいて、Ｓ３２０で受信した１つの画像を各表示装置の担当表示領域に対応させて分割して複数の部分画像を生成する。
【００４８】
Ｓ３２４において、表示装置１００Ａの制御部１０１は、記憶部１４３に記憶された表示情報を参照し、Ｓ３２２で生成（分割）された複数の部分画像のそれぞれを、通信部１４０を介して、表示装置１００Ｂ乃至１００Ｄのうち対応する表示装置に送信する。この際、自身が表示すべき部分画像は、表示装置１００Ａの画像分割部１４４によって自身の画像処理部１１８に入力される。
【００４９】
Ｓ３２６において、表示装置１００の制御部１０１は、それぞれが表示すべき部分画像を液晶パネル部１０４に形成し、投影光学系１０７を介して、液晶パネル部１０４に形成された部分画像をスクリーンに投影する。これにより、外部装置２００から表示装置１００Ａに入力された１つの画像がスクリーンに表示される。
【００５０】
Ｓ３２８において、表示装置１００の制御部１０１は、操作部１０２が電源ＯＦＦの指示をユーザから受け付けているかどうかを判定する。電源ＯＦＦの指示をユーザから受け付けていない場合には、Ｓ３２６に移行して、部分画像の投影を続ける。一方、電源ＯＦＦの指示をユーザから受け付けている場合には、Ｓ３３０に移行する。
【００５１】
Ｓ３３０において、表示装置１００の制御部１０１は、表示装置１００の各部に終了処理を行うように指示して動作を終了する。
【００５２】
本実施形態では、表示システム１においてマルチ表示を行う際に表示可能な画像の最大の表示画素数を算出し、かかる表示画素数を外部装置２００に送信している。従って、本実施形態では、表示システム１において表示可能な画像が表示装置１００Ａで表示可能な画像に限定されることなく、マルチ表示を行う際に表示可能な最大の表示画素数の画像が外部装置２００から表示装置１００Ａに入力されることになる。このように、表示システム１では、外部装置２００に対しては、マルチ表示を行う際に表示可能な画像の最大の表示画素数を表す第２の表示画素数を送信する。これにより、スクリーンに表示される画像を劣化させる要因となる画像の表示画素数の変換が抑制され、スクリーンに表示される画像（特に、画像のエッジ部分や文字部分）の視認性の低下を防止することができる。また、外部装置２００では、各表示装置で表示するための部分画像を用意したりせずに、指定された最大の表示画素数までの画像を表示システム１に送信できるようになり、ユーザの利便性が向上する。また、本実施形態では、Ｓ３０８においてマルチ表示の指示がない場合、Ｓ３０２に移行するものとしたが、この時点でマルチ表示の指示がなければ、外部装置２００に接続された表示装置１００のみで投影（表示）を行うシングル表示モードに移行してもよい。この場合、外部装置２００に接続された表示装置１００の表示画素数（第１の表示画素数）の情報を外部装置２００に送信する。このように、本発明は、複数の表示装置１００を用いて表示を行う場合には、マスタとして機能する表示装置は、接続先の複数の表示装置により表示される表示画素数の情報を外部装置２００に出力する。そして、単一の表示装置１００で表示を行う場合には、外部装置２００に接続された表示装置の表示画素数の情報を外部装置２００に出力する。本実施形態では、表示装置としてプロジェクタを使用する例について説明したが、これは、テレビであってもよいし、モニタであってもよい。そして、外部装置は、デジタルカメラ、パソコン、ハードディスクレコーダ、携帯電話などであってもよい。
＜第２の実施形態＞
第１の実施形態では、表示システム１を構築するまで各表示装置がマスタとして機能するのかスレーブとして機能するのか決定されないため、表示装置１００Ａ乃至１００Ｄは、同一の構成を有している。但し、表示システム１において、マスタとして機能する表示装置とスレーブとして機能する表示装置とが予め決定されている場合には、表示装置１００Ａ乃至１００Ｄが同一の構成を有している必要はない。この場合、マスタとして機能する表示装置１００Ａは、図４（ａ）に示すように、図２に示す構成から属性管理部１４１を除いた構成を有する。また、スレーブとして機能する表示装置１００Ｂ、１００Ｃ及び１００Ｄは、図４（ｂ）に示すように、図２に示す構成から属性管理部１４１、環境管理部１４２、記憶部１４３及び画像分割部１４４を除いた構成を有する。但し、表示装置１００Ｂ、１００Ｃ及び１００Ｄは、液晶パネル部１０４において表示画素数を変換することなく形成可能（表示可能）な画像の最大の表示画素数を表す第１の表示画素数情報を制御部１０１のメモリなどに記憶させておく必要がある。
【００５３】
図５を参照して、図１に示す表示システム１における本実施形態の表示装置１００の動作（画像の表示動作）について説明する。
【００５４】
Ｓ５０２において、制御部１０１は、通信部１４０を介して他の表示装置や外部装置２００と通信し、表示システム１の構築を行う。本実実施形態では、図１に示したように、表示システム１は、４つの表示装置１００Ａ、１００Ｂ、１００Ｃ及び１００Ｄで構成される。なお、表示装置１００Ａはマスタとして機能し、表示装置１００Ｂ乃至１００Ｄはスレーブとして機能することが予め決定されている。
【００５５】
Ｓ５０４において、表示装置１００Ａの環境管理部１４２は、表示システム１を構成する表示装置１００から、液晶パネル部１０４において表示画素数を変換することなく形成可能（表示可能）な画像の最大の表示画素数を表す第１の表示画素数情報を取得する。
【００５６】
Ｓ５０６において、表示装置１００Ａの制御部１０１は、操作部１０２がマルチ表示の指示をユーザから受け付けているかどうかを判定する。マルチ表示の指示をユーザから受け付けている場合には、Ｓ５０８に移行する。一方、マルチ表示の指示をユーザから受け付けていない場合には、Ｓ５０２に移行し、表示システム１の構築を行う状態で待機する。
【００５７】
Ｓ５０８において、表示装置１００Ａの環境管理部１４２は、マルチ表示を行う際の各表示装置のスクリーン上の表示担当領域を決定し、複数の表示装置のそれぞれが表示すべき部分画像と複数の表示装置との対応関係を示す表示情報を生成する。
【００５８】
Ｓ５１０において、表示装置１００Ａの環境管理部１４２は、Ｓ５０４で取得した第１の表示画素数情報に基づいて、表示システム１においてマルチ表示を行う際に表示可能な画像の最大の表示画素数を表す第２の表示画素数情報を算出する。
【００５９】
Ｓ５１２において、表示装置１００Ａの制御部１０１は、Ｓ５１０で算出された第２の表示画素数情報、及び、Ｓ５０８で生成された表示情報を記憶部１４３に記憶させる。
【００６０】
Ｓ５１４において、表示装置１００Ａの制御部１０１は、外部装置２００を接続先として含む通信部１４０のリセットを行う。これにより、外部装置２００から表示装置１００Ａに対して、記憶部１４３に記憶された第２の表示画素数情報（表示システム１においてマルチ表示を行う際に表示可能な画像の最大の表示画素数）の送信が要求されることになる。
【００６１】
Ｓ５１６において、表示装置１００Ａの制御部１０１は、外部装置２００からの要求に応じて、通信部１４０を介して、記憶部１４３に記憶された第２の表示画素数情報を外部装置２００に送信する。これにより、外部装置２００は、表示システム１においてマルチ表示を行う際に表示可能な画像の最大の表示画素数を把握して、これに対応した最適な表示画素数の画像（例えば、最大の表示画素数の画像）を表示装置１００Ａに送信（入力）する。
【００６２】
Ｓ５１８において、表示装置１００Ａの制御部１０１は、通信部１４０を介して、第２の表示画素数情報が表す表示画素数に対応した最適な表示画素数の画像を外部装置２００から受信する。
【００６３】
Ｓ５２０において、表示装置１００Ａの画像分割部１４４は、記憶部１４３に記憶された表示情報に基づいて、Ｓ５１８で受信した１つの画像を各表示装置の担当表示領域に対応させて分割して複数の部分画像を生成する。
【００６４】
Ｓ５２２において、表示装置１００Ａの制御部１０１は、記憶部１４３に記憶された表示情報を参照し、Ｓ５２０で生成（分割）された複数の部分画像のそれぞれを、通信部１４０を介して、表示装置１００Ｂ乃至１００Ｄのうち対応する表示装置に送信する。この際、自身が表示すべき部分画像は、表示装置１００Ａの画像分割部１４４によって自身の画像処理部１１８に入力される。
【００６５】
Ｓ５２４において、表示装置１００の制御部１０１は、それぞれが表示すべき部分画像を液晶パネル部１０４に形成し、投影光学系１０７を介して、液晶パネル部１０４に形成された部分画像をスクリーンに投影する。これにより、外部装置２００から表示装置１００Ａに入力された１つの画像がスクリーンに表示される。
【００６６】
Ｓ５２６において、表示装置１００の制御部１０１は、操作部１０２が電源ＯＦＦの指示をユーザから受け付けているかどうかを判定する。電源ＯＦＦの指示をユーザから受け付けていない場合には、Ｓ５２４に移行して、部分画像の投影を続ける。一方、電源ＯＦＦの指示をユーザから受け付けている場合には、Ｓ５２８に移行する。
【００６７】
Ｓ５２８において、表示装置１００の制御部１０１は、表示装置１００の各部に終了処理を行うように指示して動作を終了する。
【００６８】
本実施形態では、表示システム１においてマルチ表示を行う際に表示可能な画像の最大の表示画素数を算出し、かかる表示画素数を外部装置２００に送信している。従って、本実施形態では、表示システム１において表示可能な画像が表示装置１００Ａで表示可能な画像に限定されることなく、マルチ表示を行う際に表示可能な最大の表示画素数の画像が外部装置２００から表示装置１００Ａに入力されることになる。これにより、表示システム１では、スクリーンに表示される画像を劣化させる要因となる画像の表示画素数の変換が抑制され、スクリーンに表示される画像（特に、画像のエッジ部分や文字部分）の視認性の低下を防止することができる。また、外部装置側では、各表示装置で表示するための部分画像を用意したりせずに、指定された最大の表示画素数までの画像を表示システムに送信できるようになり、ユーザの利便性が向上する。
【００６９】
また、本実施形態では、マスタとして機能する表示装置を例として説明したが、本発明は装置の種類に限定されるものではない。例えば、画像（画像信号）を受信して各表示装置に分配する画像分配装置にも本発明を適用することができる。換言すれば、複数の表示装置のそれぞれに画像を入力する機能を有する装置であれば、どのような形態を有する装置であっても本発明を適用することができる。
＜第３の実施形態＞
第１の実施形態及び第２の実施形態では、表示システム１を構成する複数の表示装置のうち１つの表示装置をマスタとして機能させ、マスタとして機能する表示装置が画像を分割して部分画像を生成し、かかる部分画像を各表示装置に送信している。本実施形態では、表示システム１を構成する複数の表示装置のそれぞれにおいて、外部装置から入力された画像から自身が表示すべき部分画像を抽出する場合について説明する。この場合、図６に示すように、４つの表示装置１００Ａ乃至１００Ｄのそれぞれが外部装置２００に接続することで表示システム１が構成され、４つの表示装置１００Ａ乃至１００Ｄのそれぞれに外部装置２００から画像が入力される。また、表示装置１００Ａ乃至１００Ｄは、図７に示すように、図２に示す構成から属性管理部１４１が除かれ、画像分割部１４４の代わりに画像抽出部１４５を有する構成を有する。画像抽出部１４５は、記憶部１４３に記憶された表示情報を参照し、外部装置２００から入力される１つの画像から自身が表示すべき部分画像を抽出する。
【００７０】
図８を参照して、図６に示す表示システム１における本実施形態の表示装置１００の動作（画像の表示動作）について説明する。
【００７１】
Ｓ８０２において、制御部１０１は、通信部１４０を介して他の表示装置や外部装置２００と通信し、表示システム１の構築を行う。本実実施形態では、図６に示したように、表示システム１は、外部装置２００にそれぞれ接続する４つの表示装置１００Ａ、１００Ｂ、１００Ｃ及び１００Ｄで構成される。
【００７２】
Ｓ８０４において、表示装置１００の制御部１０１は、操作部１０２がマルチ表示の指示をユーザから受け付けているかどうかを判定する。マルチ表示の指示をユーザから受け付けている場合には、Ｓ８０６に移行する。一方、マルチ表示の指示をユーザから受け付けていない場合には、Ｓ８０２に移行し、表示システム１の構築を行う状態で待機する。
【００７３】
Ｓ８０６において、表示装置１００の環境管理部１４２は、表示システム１を構成する表示装置１００から、液晶パネル部１０４において表示画素数を変換することなく形成可能（表示可能）な画像の最大の表示画素数を表す第１の表示画素数情報を取得する。
【００７４】
Ｓ８０８において、表示装置１００の環境管理部１４２は、マルチ表示を行う際の各表示装置のスクリーン上の表示担当領域を決定し、複数の表示装置のそれぞれが表示すべき部分画像と複数の表示装置との対応関係を示す表示情報を生成する。この際、各表示装置は、通信部１４０に含まれるＣＥＣを用いて通信を行い、スクリーン上の表示担当領域を決定する。
【００７５】
Ｓ８１０において、表示装置１００の環境管理部１４２は、Ｓ８０６で取得した第１の表示画素数情報に基づいて、表示システム１においてマルチ表示を行う際に表示可能な画像の最大の表示画素数を表す第２の表示画素数情報を算出する。
【００７６】
Ｓ８１２において、表示装置１００の制御部１０１は、Ｓ８１０で算出された第２の表示画素数情報、及び、Ｓ８０８で生成された表示情報を記憶部１４３に記憶させる。
【００７７】
Ｓ８１４において、表示装置１００の制御部１０１は、外部装置２００を接続先として含む通信部１４０のリセットを行う。これにより、外部装置２００から表示装置１００に対して、記憶部１４３に記憶された第２の表示画素数情報（表示システム１においてマルチ表示を行う際に表示可能な画像の最大の表示画素数）の送信が要求されることになる。
【００７８】
Ｓ８１６において、表示装置１００の制御部１０１は、外部装置２００からの要求に応じて、通信部１４０を介して、記憶部１４３に記憶された第２の表示画素数情報を外部装置２００に送信する。これにより、外部装置２００は、表示システム１においてマルチ表示を行う際に表示可能な画像の最大の表示画素数を把握して、これに対応した最適な表示画素数の画像（例えば、最大の表示画素数の画像）を表示装置１００に送信（入力）する。
【００７９】
Ｓ８１８において、表示装置１００の制御部１０１は、通信部１４０を介して、第２の表示画素数情報が表す表示画素数に対応した最適な表示画素数の画像を外部装置２００から受信する。
【００８０】
Ｓ８２０において、表示装置１００の画像抽出部１４５は、記憶部１４３に記憶された表示情報を参照し、Ｓ８１８で受信した画像から自身が表示すべき部分画像を抽出する。
【００８１】
Ｓ８２２において、表示装置１００の制御部１０１は、Ｓ８２０で抽出された部分画像を液晶パネル部１０４に形成し、投影光学系１０７を介して、液晶パネル部１０４に形成された部分画像をスクリーンに投影する。これにより、外部装置２００から表示装置１００に入力された１つの画像がスクリーンに表示される。
【００８２】
Ｓ８２４において、表示装置１００の制御部１０１は、操作部１０２が電源ＯＦＦの指示をユーザから受け付けているかどうかを判定する。電源ＯＦＦの指示をユーザから受け付けていない場合には、Ｓ８２２に移行して、部分画像の投影を続ける。一方、電源ＯＦＦの指示をユーザから受け付けている場合には、Ｓ８２６に移行する。
【００８３】
Ｓ８２６において、表示装置１００の制御部１０１は、表示装置１００の各部に終了処理を行うように指示して動作を終了する。
【００８４】
本実施形態では、表示システム１においてマルチ表示を行う際に表示可能な画像の最大の表示画素数を算出し、かかる表示画素数を外部装置２００に送信している。従って、本実施形態では、表示システム１において表示可能な画像が表示装置１００で表示可能な画像に限定されることなく、マルチ表示を行う際に表示可能な最大の表示画素数の画像が外部装置２００から表示装置１００に入力されることになる。これにより、表示システム１では、スクリーンに表示される画像を劣化させる要因となる画像の表示画素数の変換が抑制され、スクリーンに表示される画像（特に、画像のエッジ部分や文字部分）の視認性の低下を防止することができる。
＜第４の実施形態＞
第１の実施形態、第２の実施形態及び第３の実施形態では、表示システム１においてマルチ表示を行う際の画像の表示に関して説明した。本実施形態では、表示システム１においてマルチ表示を行う際の音声の出力に関して説明する。表示システム１の構成は、図１に示す構成とする。また、第１の実施形態で説明したように、通信部１４０の接続先に外部装置２００を含む表示装置１００Ａがマスタとして機能し、通信部１４０の接続先に外部装置２００を含まない表示装置１００Ｂ、１００Ｃ及び１００Ｄがスレーブとして機能するものとする。また、表示装置１００Ａ乃至１００Ｄは、図９に示すように、図２に示す構成に加えて、音声処理部１４７と、音声出力部１４８とを有する。
【００８５】
本実施形態では、環境管理部１４２は、表示システム１の環境を管理する際に、各表示装置がどのような音響構成（音声処理部１４７及び音声出力部１４８）を有しているかも解析し、各表示装置の音響構成をどのように使用するかを決定する。なお、表示装置１００の音響構成を表す音響情報は、音声出力部１４８を構成するスピーカーの配置やサンプリングレートなどを含み、ＥＤＩＤの内容の一部として記憶部１４３に記憶されている。
【００８６】
表示装置１００に音声データを入力する際、外部装置２００では、表示装置１００の記憶部１４３に記憶された音響情報を取得し、かかる音響情報を解析することで表示装置１００に入力する音声データの種類を決定している。換言すれば、外部装置２００は、表示装置１００のＥＤＩＤで規定された最大の音声出力能力を基準として、表示装置１００に入力する音声データの種類を決定している。勿論、ユーザが表示装置１００に入力する音声データの種類を決定（指定）することも可能である。但し、いずれの場合であっても、表示装置１００に入力する音声データの種類は、ＥＤＩＤの内容の範囲内（表示装置１００で音声出力可能な範囲）で決定されることになる。従って、ＥＤＩＤの内容が表示装置１００を単体で使用する際の内容のままであると、表示システム１においてマルチ表示を行う際に出力する音声に制限がかかってしまう。例えば、１つのスピーカーで構成された音声出力部１４８をそれぞれ有する４つの表示装置１００で表示システム１を構成した場合でも、各表示装置１００の音響情報はスピーカーが１つであることを表している。従って、外部装置２００は、モノラル対応の音声データを表示装置１００に入力することになり、表示システム１を構成する表示装置１００の音響構成の全てを有効に活用することができない。なお、本実施形態では、外部装置２００からの音声データは、マスタとして機能する表示装置１００Ａに入力される。従って、従来技術では、表示システム１において出力可能な音声データの種類が表示装置１００Ａで出力可能な音声データの種類に限定されることになってしまう。
【００８７】
そこで、本実施形態では、上述したように、環境管理部１４２において、各表示装置がどのような音響構成（音声処理部１４７及び音声出力部１４８）を有しているかも解析し、各表示装置の音響構成をどのように使用するかを決定する。具体的には、環境管理部１４２は、表示システム１を構成する複数の表示装置のそれぞれから、音声出力部１４８で出力可能な音声に関する情報である第１の音響情報を取得する。そして、環境管理部１４２は、第１の音響情報から表示システム１において出力可能な音声に関する情報である第２の音響情報を算出する。例えば、本実施形態において、第１の音響情報が各表示装置の音声出力部１４８が１つのスピーカーで構成されていることを表している場合を考える。この場合、環境管理部１４２は、表示装置１００の音声出力部１４８が４つのスピーカーで構成されていることを表す音響情報を第２の音響情報として算出する。また、環境管理部１４２は、表示システム１における各表示装置の出力担当音声データを決定し、複数の表示装置のそれぞれが出力すべき音声データと複数の表示装置（の音声出力部）との対応関係を示す音声出力情報を生成する。
【００８８】
環境管理部１４２で算出された第２の音響情報、及び、環境管理部１４２で生成された音声出力情報は、記憶部１４３に記憶される。なお、記憶部１４３には、表示装置を単体で使用する場合の音響構成を表す第１の音響情報も記憶されている。但し、記憶部１４３が第２の音響情報を記憶することで、外部装置２００に対して、表示システム１における表示装置１００の出力可能な音声に関する情報として第２の音響情報が送信されることになる。
【００８９】
図１０を参照して、図１に示す表示システム１における本実施形態の表示装置１００の動作（画像の表示動作及び音声の出力動作）について説明する。かかる動作は、制御部１０１が表示装置１００の各部を統括的に制御することによって実行される。
【００９０】
Ｓ１００２において、制御部１０１は、通信部１４０を介して他の表示装置や外部装置２００と通信し、表示システム１の構築を行う。本実実施形態では、図１に示したように、表示システム１は、４つの表示装置１００Ａ、１００Ｂ、１００Ｃ及び１００Ｄで構成される。この際、制御部１０１は、表示装置１００Ａ、１００Ｂ、１００Ｃ及び１００Ｄのそれぞれの属性管理部１４１に、自身がマスタとして機能するか、或いは、スレーブとして機能するかを表す属性情報を格納する。
【００９１】
Ｓ１００４において、制御部１０１は、属性管理部１４１に管理された属性情報を参照し、Ｓ１００２で構築された表示システム１において、自身がマスタとして機能するかどうかを判定する。自身がマスタとして機能する場合には、Ｓ１００６に移行する。一方、自身がマスタとして機能しない場合（即ち、スレーブとして機能する場合）には、Ｓ１０３２に移行する。従って、Ｓ１００６乃至Ｓ１０３０は、マスタとして機能する表示装置１００Ａのみで行われることになる。
【００９２】
Ｓ１００６において、表示装置１００Ａの環境管理部１４２は、表示システム１を構成する表示装置１００から、第１の表示画素数情報及び第１の音響情報を取得する。上述したように、第１の表示画素数情報は、表示装置１００を単体で使用する場合に液晶パネル部１０４において表示画素数を変換することなく形成可能（表示可能）な画像の最大の表示画素数を表す。また、第１の音響情報は、表示装置を単体で使用する場合の音響構成を表す。
【００９３】
Ｓ１００８において、表示装置１００Ａの制御部１０１は、操作部１０２がマルチ表示の指示をユーザから受け付けているかどうかを判定する。マルチ表示の指示をユーザから受け付けている場合には、Ｓ１０１０に移行する。一方、マルチ表示の指示をユーザから受け付けていない場合には、Ｓ１００２に移行し、表示システム１の構築を行う状態で待機する。
【００９４】
Ｓ１０１０において、表示装置１００Ａの環境管理部１４２は、マルチ表示を行う際の各表示装置のスクリーン上の表示担当領域を決定し、複数の表示装置のそれぞれが表示すべき部分画像と複数の表示装置との対応関係を示す表示情報を生成する。
【００９５】
Ｓ１０１２において、表示装置１００Ａの環境管理部１４２は、Ｓ１００６で取得した第１の表示画素数情報に基づいて、表示システム１においてマルチ表示を行う際に表示可能な画像の最大の表示画素数を表す第２の表示画素数情報を算出する。
【００９６】
Ｓ１０１４において、表示装置１００Ａの環境管理部１４２は、表示システム１における各表示装置の出力担当音声データを決定し、複数の表示装置のそれぞれが出力すべき音声データと複数の表示装置との対応関係を示す音声出力情報を生成する。例えば、環境管理部１４２は、第１の音響情報を解析して各表示装置の出力担当音声データを設定するための設定画面をユーザに提供し、かかる設定画面を用いてユーザによって設定される内容に応じて各表示装置の出力担当音声データを決定する。
【００９７】
Ｓ１０１６において、表示装置１００Ａの環境管理部１４２は、Ｓ１００６で取得した第１の音響情報に基づいて、表示システム１において出力可能な音声に関する情報である第２の音響情報を算出する。
【００９８】
Ｓ１０１８において、表示装置１００Ａの制御部１０１は、Ｓ１０１２で算出された第２の表示画素数情報、Ｓ１０１０で生成された表示情報、Ｓ１０１６で算出された第２の音響情報、Ｓ１０１４で生成された音声出力情報を記憶部１４３に記憶させる。
【００９９】
Ｓ１０２０において、表示装置１００Ａの制御部１０１は、外部装置２００を接続先として含む通信部１４０のリセットを行う。これにより、外部装置２００から表示装置１００Ａに対して、記憶部１４３に記憶された第２の表示画素数情報及び第２の音響情報の送信が要求されることになる。
【０１００】
Ｓ１０２２において、表示装置１００Ａの制御部１０１は、外部装置２００からの要求に応じて、通信部１４０を介して、記憶部１４３に記憶された第２の表示画素数情報及び第２の音響情報を外部装置２００に送信する。これにより、外部装置２００は、表示システム１においてマルチ表示を行う際に表示可能な画像の最大の表示画素数を把握して、これに対応した最適な表示画素数の画像（例えば、最大の表示画素数の画像）を表示装置１００Ａに送信（入力）する。同様に、外部装置２００は、表示システム１においてマルチ表示を行う際に出力可能な音声の種類を把握して、これに対応した最適な種類の音声データを表示装置１００Ａに送信（入力）する。
【０１０１】
Ｓ１０２４において、表示装置１００Ａの制御部１０１は、通信部１４０を介して、第２の表示画素数情報が表す表示画素数に対応した最適な表示画素数の画像及び第２の音響情報に対応した最適な種類の音声データを外部装置２００から受信する。
【０１０２】
Ｓ１０２６において、表示装置１００Ａの画像分割部１４４は、記憶部１４３に記憶された表示情報に基づいて、Ｓ１０２４で受信した１つの画像を各表示装置の担当表示領域に対応させて分割して複数の部分画像を生成する。
【０１０３】
Ｓ１０２８において、表示装置１００Ａの音声処理部１４７は、記憶部１４３に記憶された音声出力情報に基づいて、Ｓ１０２４で受信した音声データから表示システム１において各表示装置が出力すべき音声データを抽出する。
【０１０４】
Ｓ１０３０において、表示装置１００Ａの制御部１０１は、Ｓ１０２６で生成（分割）された複数の部分画像、及び、Ｓ１０２８で抽出された音声データを各表示装置に送信する。具体的には、表示装置１００Ａの制御部１０１は、記憶部１４３に記憶された表示情報を参照し、複数の部分画像のそれぞれを、通信部１４０を介して、表示装置１００Ｂ乃至１００Ｄのうち対応する表示装置に送信する。この際、自身が表示すべき部分画像は、表示装置１００Ａの画像分割部１４４によって自身の画像処理部１１８に入力される。同様に、表示装置１００Ａの制御部１０１は、記憶部１４３に記憶された音声出力データを参照し、音声処理部１４７で抽出された音声データを、通信部１４０を介して、表示装置１００Ｂ乃至１００Ｄのうち対応する表示装置に送信する。この際、自身が出力すべき音声データは、表示装置１００Ａの音声処理部１４７によって自身の音声出力部１４８に入力される。
【０１０５】
Ｓ１０３２において、表示装置１００の制御部１０１は、それぞれが表示すべき部分画像を液晶パネル部１０４に形成し、投影光学系１０７を介して、液晶パネル部１０４に形成された部分画像をスクリーンに投影する。これにより、外部装置２００から入力された１つの画像がスクリーンに表示される。また、表示装置１００の制御部１０１は、それぞれが出力すべき音声データを音声処理部１４７及び音声出力部１４８に入力し、音声出力部１４８を介して、音声データに対応する音声を出力する。
【０１０６】
Ｓ１０３４において、表示装置１００の制御部１０１は、操作部１０２が電源ＯＦＦの指示をユーザから受け付けているかどうかを判定する。電源ＯＦＦの指示をユーザから受け付けていない場合には、Ｓ１０３２に移行して、部分画像の投影及び音声の出力を続ける。一方、電源ＯＦＦの指示をユーザから受け付けている場合には、Ｓ１０３６に移行する。
【０１０７】
Ｓ１０３６において、表示装置１００の制御部１０１は、表示装置１００の各部に終了処理を行うように指示して動作を終了する。
【０１０８】
本実施形態では、表示システム１においてマルチ表示を行う際に表示可能な画像の最大の表示画素数を算出し、かかる表示画素数を外部装置２００に送信している。従って、本実施形態では、表示システム１において表示可能な画像が表示装置１００Ａで表示可能な画像に限定されることなく、マルチ表示を行う際に表示可能な最大の表示画素数の画像が外部装置２００から表示装置１００Ａに入力されることになる。これにより、表示システム１では、スクリーンに表示される画像を劣化させる要因となる画像の表示画素数の変換が抑制され、スクリーンに表示される画像（特に、画像のエッジ部分や文字部分）の視認性の低下を防止することができる。
【０１０９】
更に、本実施形態では、表示システム１においてマルチ表示を行う際に出力可能な音声データに関する情報を算出し、かかる情報を外部装置２００に送信している。従って、本実施形態では、表示システム１において出力可能な音声データの種類が表示装置１００Ａで出力可能な音声データの種類に限定されることなく、マルチ表示を行う際に出力可能な音声データが外部装置２００から表示装置１００Ａに入力されることになる。このように、表示システム１では、高音質、且つ、表示システム１に最適な音声データが入力されるため、出力される音声の劣化を防止することができる。
＜第５の実施形態＞
第４の実施形態では、表示システム１を構成する複数の表示装置のうち１つの表示装置をマスタとして機能させ、マスタとして機能する表示装置が音声データを抽出し、かかる音声データを各表示装置に送信している。本実施形態では、表示システム１を構成する複数の表示装置のそれぞれにおいて、外部装置から入力された音声データから自身が表示すべき音声データを抽出する場合について説明する。この場合、図１１に示すように、４つの表示装置１００Ａ乃至１００Ｄのそれぞれが外部装置２００に接続することで表示システム１が構成され、４つの表示装置１００Ａ乃至１００Ｄのそれぞれに外部装置２００から音声データが入力される。また、表示装置１００Ａ乃至１００Ｄは、図１２に示すように、図９に示す構成から属性管理部１４１が除かれた構成を有する。本実施形態においても、環境管理部１４２は、各表示装置がどのような音響構成（音声処理部１４７及び音声出力部１４８）を有しているかも解析し、各表示装置の音響構成をどのように使用するかを決定する。この際、各表示装置の音響構成をどのように使用するかを決定する決定方法を予め規定することで、各表示装置で同じ結果を得ることが可能となる。
【０１１０】
図１１に示すように、表示装置１００Ａ乃至１００Ｄのそれぞれが第１のスピーカー１４８Ｌと第２のスピーカー１４８Ｒとで構成された音声出力部１４８を有している場合を考える。この場合、従来技術では、表示装置１００Ａ乃至１００Ｄの全てに対して、第１のスピーカー１４８Ｌが出力する音声に対応する音声データ及び第２のスピーカー１４８Ｒが出力する音声に対応する音声データとが入力される。従って、表示システム１においては、臨場感を欠く音声が出力されることになってしまう。一方、本実施形態では、各表示装置がどのような音響構成を有しているかも解析し、各表示装置の音響構成をどのように使用するかを決定することができるため、表示装置ごとに異なる音声データを入力することが可能である。具体的には、表示装置１００Ａ及び１００Ｂの第１のスピーカー１４８Ｌと第２のスピーカー１４８Ｒ、表示装置１００Ｃの第１のスピーカー１４８Ｌ、及び、表示装置１００Ｄの第２のスピーカー１４８Ｒを使用するスピーカーとして決定する。そして、外部装置２００から各スピーカーに対応する音声データを入力することで、表示システム１において、臨場感のある音声を出力することができる（臨場感を向上させた音響環境を構築できる）。
【０１１１】
図１３を参照して、図１１に示す表示システム１における本実施形態の表示装置１００の動作（画像の表示動作及び音声の出力動作）について説明する。
【０１１２】
Ｓ１３０２において、制御部１０１は、通信部１４０を介して他の表示装置や外部装置２００と通信し、表示システム１の構築を行う。本実実施形態では、図１１に示したように、表示システム１は、外部装置２００にそれぞれ接続する４つの表示装置１００Ａ、１００Ｂ、１００Ｃ及び１００Ｄで構成される。
【０１１３】
Ｓ１３０４において、表示装置１００の制御部１０１は、操作部１０２がマルチ表示の指示をユーザから受け付けているかどうかを判定する。マルチ表示の指示をユーザから受け付けている場合には、Ｓ１３０６に移行する。一方、マルチ表示の指示をユーザから受け付けていない場合には、Ｓ１３０２に移行し、表示システム１の構築を行う状態で待機する。
【０１１４】
Ｓ１３０６において、表示装置１００の環境管理部１４２は、表示システム１を構成する表示装置１００から、第１の表示画素数情報及び第１の音響情報を取得する。
【０１１５】
Ｓ１３０８において、表示装置１００の環境管理部１４２は、マルチ表示を行う際の各表示装置のスクリーン上の表示担当領域を決定し、複数の表示装置のそれぞれが表示すべき部分画像と複数の表示装置との対応関係を示す表示情報を生成する。
【０１１６】
Ｓ１３１０において、表示装置１００の環境管理部１４２は、Ｓ１３０６で取得した第１の表示画素数情報に基づいて、表示システム１においてマルチ表示を行う際に表示可能な画像の最大の表示画素数を表す第２の表示画素数情報を算出する。
【０１１７】
Ｓ１３１２において、表示装置１００の環境管理部１４２は、表示システム１における各表示装置の出力担当音声データを決定し、複数の表示装置のそれぞれが出力すべき音声データと複数の表示装置との対応関係を示す音声出力情報を生成する。
【０１１８】
Ｓ１３１４において、表示装置１００の環境管理部１４２は、Ｓ１３０６で取得した第１の音響情報に基づいて、表示システム１において出力可能な音声に関する情報である第２の音響情報を算出する。
【０１１９】
Ｓ１３１６において、表示装置１００の制御部１０１は、Ｓ１３１０で算出された第２の表示画素数情報、Ｓ１３０８で生成された表示情報、Ｓ１３１４で算出された第２の音響情報、Ｓ１３１２で生成された音声出力情報を記憶部１４３に記憶させる。
【０１２０】
Ｓ１３１８において、表示装置１００の制御部１０１は、外部装置２００を接続先として含む通信部１４０のリセットを行う。これにより、外部装置２００から表示装置１００に対して、記憶部１４３に記憶された第２の表示画素数情報及び第２の音響情報の送信が要求されることになる。
【０１２１】
Ｓ１３２０において、表示装置１００の制御部１０１は、外部装置２００からの要求に応じて、通信部１４０を介して、記憶部１４３に記憶された第２の表示画素数情報及び第２の音響情報を外部装置２００に送信する。これにより、外部装置２００は、表示システム１においてマルチ表示を行う際に表示可能な画像の最大の表示画素数を把握して、これに対応した最適な表示画素数の画像（例えば、最大の表示画素数の画像）を表示装置１００に送信（入力）する。同様に、外部装置２００は、表示システム１においてマルチ表示を行う際に出力可能な音声の種類を把握して、これに対応した最適な種類の音声データを表示装置１００に送信（入力）する。
【０１２２】
Ｓ１３２２において、表示装置１００の制御部１０１は、通信部１４０を介して、第２の表示画素数情報が表す表示画素数に対応した最適な表示画素数の画像及び第２の音響情報に対応した最適な種類の音声データを外部装置２００から受信する。
【０１２３】
Ｓ１３２４において、表示装置１００の画像抽出部１４５は、記憶部１４３に記憶された表示情報を参照し、Ｓ１３２２で受信した画像から自身が表示すべき部分画像を抽出する。
【０１２４】
Ｓ１３２６において、表示装置１００の音声処理部１４７は、記憶部１４３に記憶された音声出力情報に基づいて、Ｓ１３２２で受信した音声データから自身が出力すべき音声データを抽出する。
【０１２５】
Ｓ１３２８において、表示装置１００の制御部１０１は、Ｓ１３２４で抽出された部分画像を液晶パネル部１０４に形成し、投影光学系１０７を介して、液晶パネル部１０４に形成された部分画像をスクリーンに投影する。これにより、外部装置２００から表示装置１００に入力された１つの画像がスクリーンに表示される。また、表示装置１００の制御部１０１は、Ｓ１３２６で抽出された音声データを音声処理部１４７及び音声出力部１４８に入力し、音声出力部１４８を介して、音声データに対応する音声を出力する。
【０１２６】
Ｓ１３３０において、表示装置１００の制御部１０１は、操作部１０２が電源ＯＦＦの指示をユーザから受け付けているかどうかを判定する。電源ＯＦＦの指示をユーザから受け付けていない場合には、Ｓ１３２８に移行して、部分画像の投影及び音声の出力を続ける。一方、電源ＯＦＦの指示をユーザから受け付けている場合には、Ｓ１３３２に移行する。
【０１２７】
Ｓ１３３２において、表示装置１００の制御部１０１は、表示装置１００の各部に終了処理を行うように指示して動作を終了する。
【０１２８】
本実施形態では、表示システム１においてマルチ表示を行う際に表示可能な画像の最大の表示画素数を算出し、かかる表示画素数を外部装置２００に送信している。従って、本実施形態では、表示システム１において表示可能な画像が表示装置１００Ａで表示可能な画像に限定されることなく、マルチ表示を行う際に表示可能な最大の表示画素数の画像が外部装置２００から表示装置１００Ａに入力されることになる。これにより、表示システム１では、スクリーンに表示される画像を劣化させる要因となる画像の表示画素数の変換が抑制され、スクリーンに表示される画像（特に、画像のエッジ部分や文字部分）の視認性の低下を防止することができる。
【０１２９】
更に、本実施形態では、表示システム１においてマルチ表示を行う際に出力可能な音声データに関する情報を算出し、かかる情報を外部装置２００に送信している。従って、本実施形態では、表示システム１において出力可能な音声データの種類が表示装置１００Ａで出力可能な音声データの種類に限定されることなく、マルチ表示を行う際に出力可能な音声データが外部装置２００から表示装置１００Ａに入力されることになる。このように、表示システム１では、高音質、且つ、表示システム１に最適な音声データが入力されるため、出力される音声の劣化を防止することができる。
【０１３０】
また、本発明は、以下の処理を実行することによっても実現される。即ち、上述した実施形態の機能を実現するソフトウェア（プログラム）を、ネットワーク又は各記憶媒体を介してシステム或いは装置に供給し、そのシステム或いは装置のコンピュータ（またはＣＰＵやＭＰＵ等）がプログラムを読み出して実行する処理である。この場合、そのプログラム、及び、かかるプログラムを記憶した記憶媒体は本発明を構成することになる。
【０１３１】
以上、本発明の好ましい実施形態について説明したが、本発明はこれらの実施形態に限定されないことはいうまでもなく、その要旨の範囲内で種々の変形及び変更が可能である。
【図１】
2012083572.tif 000003
【図２】
2012083572.tif 000004
【図３】
2012083572.tif 000005
【図４】
2012083572.tif 000006
【図５】
2012083572.tif 000007
【図６】
2012083572.tif 000008
【図７】
2012083572.tif 000009
【図８】
2012083572.tif 000010
【図９】
2012083572.tif 000011
【図１０】
2012083572.tif 000012
【図１１】
2012083572.tif 000013
【図１２】
2012083572.tif 000014
【図１３】
2012083572.tif 000015